(57)【要約】【課題】装置稼働中に電源交換が可能なファイバーチャネルスイッチを提供する。【解決手段】電源装置１２は、装置の内部回路１８に対して電源供給を行う。電源交換機構１７は、電源装置１２を、装置から取り外し可能に装着する。保守用電源入力１６は、外部から、電源装置１２が供給する電源と並列に内部回路１８に対して電源供給を行うための電源が入力される端子である。【選択図】図１
2010282461.tif 000002
【特許請求の範囲】
【請求項１】
装置の内部回路に対して電源供給を行う電源装置と、
前記電源装置を、取り外し可能に装着する交換機構と、
外部から、前記電源装置が供給する電源と並列に前記内部回路に対して電源供給を行うための電源が入力される保守用電源入力端子とを備えるファイバーチャネルスイッチ。
【請求項２】
前記内部回路と前記電源装置との間に、前記保守用電源入力端子から入力された外部電源側から前記電源装置に電流が流れ込むのを防ぐ逆流防止回路を更に備える、請求項１に記載のファイバーチャネルスイッチ。
【請求項３】
前記内部回路と前記保守用電源入力端子との間に、前記電源装置側から前記保守用電源入力端子に電流が流れ込むのを防ぐ逆流防止回路を更に備える、請求項１又は２に記載のファイバーチャネルスイッチ。
【請求項４】
装置の内部回路に対して電源供給を行う電源装置を有するファイバーチャネルスイッチに対して、外部から、前記電源装置が供給する電源と並列に電源供給を行い、
前記電源装置の電源供給を停止した後に、前記電源装置を前記ファイバーチャネルスイッチから取り外して別の電源装置に交換し、
前記交換した別の電源装置からの電源供給開始後に、前記外部からの電源供給を停止するファイバーチャネルスイッチにおける電源交換方法。
【発明の詳細な説明】
【技術分野】
【０００１】
本発明は、ファイバーチャネルスイッチ（Fibre Channel Switch）及び電源交換方法に関し、更に詳しくは、単一の電源装置を有するファイバーチャネルスイッチ、及び、そのようなファイバーチャネルスイッチにおける電源交換方法に関する。
【背景技術】
【０００２】
ファイバーチャネルスイッチは、サーバとストレージとの間をファイバーチャネル（Fibre Channel）で接続する装置である。ファイバーチャネルスイッチには、単一電源の小型装置から、冗長化された電源構成の大型装置まで、いくつかのタイプの装置がある。ファイバーチャネルスイッチの小型装置は、装置に内蔵された電源装置を１つ有している。ファイバーチャネルスイッチの大型装置は、交換可能な複数の電源装置を有している。並列冗長電源装置については、例えば特許文献１に記載されている。
【先行技術文献】
【特許文献】
【０００３】
【特許文献１】特開平９−１６４１８号公報
【発明の概要】
【発明が解決しようとする課題】
【０００４】
ファイバーチャネルスイッチの大型装置は、冗長化された電源構成を持っているため、システム稼動中の電源装置の保守交換が実施可能である。しかし、ファイバーチャネルスイッチの小型装置は、単一の電源装置しか持っておらず、電源入力系統が単一であるため、システム稼動中に電源装置の保守交換を実施することはできない。
【０００５】
また、ファイバーチャネルスイッチの小型装置は、装置自体が電源装置交換を前提としない構造となっている。従って、電源装置の出力間欠障害等を含む障害が発生した場合、装置単位で交換する必要があった。この装置交換に伴って、装置が組み込まれたシステムのシステム停止が必要になるという問題点があった。
【０００６】
本発明は、単一の電源装置を有するファイバーチャネルスイッチにて、装置稼働状態で電源装置の交換が可能なファイバーチャネルスイッチ及び電源交換方法を提供することを目的とする。
【課題を解決するための手段】
【０００７】
上記目的を達成するために、本発明は、装置の内部回路に対して電源供給を行う電源装置と、前記電源装置を、取り外し可能に装着する交換機構と、外部から、前記電源装置が供給する電源と並列に前記内部回路に対して電源供給を行うための電源が入力される保守用電源入力端子とを備えるファイバーチャネルスイッチを提供する。
【０００８】
本発明は、装置の内部回路に対して電源供給を行う電源装置を有するファイバーチャネルスイッチに対して、外部から、前記電源装置が供給する電源と並列に電源供給を行い、前記電源装置の電源供給を停止した後に、前記電源装置を前記ファイバーチャネルスイッチから取り外して別の電源装置に交換し、前記交換した別の電源装置からの電源供給開始後に、前記外部からの電源供給を停止するファイバーチャネルスイッチを提供する。
【発明の効果】
【０００９】
本発明のファイバーチャネルスイッチ及び電源交換方法は、装置稼働状態で電源装置を交換することが可能である。
【図面の簡単な説明】
【００１０】
【図１】本発明の第１実施形態のファイバーチャネルスイッチを示すブロック図。
【図２】電源交換時の手順を示すフローチャート。
【発明を実施するための形態】
【００１１】
以下、図面を参照し、本発明の実施の形態を詳細に説明する。図１は、本発明の一実施形態のファイバーチャネルスイッチを示している。ファイバーチャネルスイッチは、電源装置１２、電圧変換回路１３、逆流防止回路１４、１５、保守用電源入力１６、及び、電源交換機構１７を有する。
【００１２】
電源装置１２は、ファイバーチャネルスイッチ内の内部回路１８に対して電源供給を行う。電源装置１２は、モジュール化されている。電源交換機構１７は、電源装置１２を、取り外し可能に装着する。例えば、電源装置１２は、ファイバーチャネルスイッチ本体に設けられたスロットに差し込まれており、スロットに対して挿抜が可能に構成されている。
【００１３】
電源装置１２は、電源入力１１を有する。電源装置１２は、電源入力１１に入力された電源から、ファイバーチャネルスイッチ内で使用する電源を生成する。電源装置１２は、例えば、電源入力１１に入力されたＡＣ（交流）電源を、ＤＣ（直流）電源に変換する。電源装置１２が生成した電源は、逆流防止回路１４を経て、電圧変換回路１３に入力される。
【００１４】
保守用電源入力１６は、外部から、電源装置１２が供給する電源と並列に内部回路１８に対して電源供給を行うための電源（外部電源）が入力される端子である。保守用電源入力１６は、電源装置１２の保守や交換時に、外部電源が入力される。保守用電源入力１６に入力された電源は、逆流防止回路１５を経て電圧変換回路１３に入力される。
【００１５】
逆流防止回路１４は、電源装置１２が供給する電圧が、保守用電源入力１６から入力された電圧の影響を受けないようにするための回路である。逆流防止回路１４は、保守用電源入力１６から入力される外部電源側からの電流が、電源装置１２側に流れ込むのを防ぐ。また、逆流防止回路１５は、保守用電源入力１６から入力された電圧が、電源装置１２が供給する電圧の影響を受けないようにするための回路である。逆流防止回路１５は、電源装置１２側からの電流が、保守用電源入力１６に流れ込むのを防ぐ。
【００１６】
保守用電源入力１６に入力される電圧は、電源装置１２が電圧変換回路１３に入力する電圧と同じ電圧である。電圧変換回路１３は、入力された電源電圧を、装置基板（内部回路１８）で使用する電圧に変換する。電圧変換回路１３で変換された電圧は、内部回路１８内の各部に供給される。
【００１７】
図２は、ファイバーチャネルスイッチにおける電源交換時の手順を示している。作業者は、保守用電源入力１６の外部電源を接続する（ステップＳ１）。保守用電源入力１６から入力された電源は、逆流防止回路１５を経て、電源装置１２が供給する電源と並列に電圧変換回路１３に供給される。作業者は、保守用電源入力１６から入力する電源が、正常に電圧変換回路１３に入力されていることを確認した上で、電源装置１２を停止する（ステップＳ２）。
【００１８】
作業者は、電源装置１２の停止後、電源交換機構１７から電源装置１２を取り外し、交換用の別の電源装置１２と交換する（ステップＳ３）。作業者は、交換した電源装置１２が供給する電源が、正常に電圧変換回路１３に入力されていることを確認した上で、保守用電源入力１６から、外部電源を取り外す（ステップＳ４）。以後、内部回路１８には、交換された電源装置１２が生成する電源が供給される。
【００１９】
本実施形態では、単一電源装置のファイバーチャネルスイッチが、保守用電源入力１６及び電源交換機構１７を備えている。ファイバーチャネルスイッチが電源交換機構１７を備えることで、電源装置１２に不具合が生じたときに、装置全体を交換することなく、電源装置１２だけを交換することができる。その際、保守用電源入力１６に外部電源を接続し、保守用電源入力１６から入力される電源を内部回路１８に供給することで、ファイバーチャネルスイッチを停止することなく、装置稼働状態で電源装置１２の保守交換が可能である。
【００２０】
以上、本発明をその好適な実施形態に基づいて説明したが、本発明のファイバーチャネルスイッチ及び電源交換方法は、上記実施形態にのみ限定されるものではなく、上記実施形態の構成から種々の修正及び変更を施したものも、本発明の範囲に含まれる。
【００２１】
最後に、本発明の最小構成について説明する。本発明のファイバーチャネルスイッチは、最小構成として、装置の内部回路に対して電源供給を行う電源装置と、電源装置を取り外し可能に装着する交換機構と、外部から、電源装置が供給する電源と並列に内部回路に対して電源供給を行うための電源が入力される保守用電源入力端子とを備える。
【００２２】
本発明のファイバーチャネルスイッチの最小構成では、電源装置は、交換機構に装着されており、電源装置のみの交換が可能である。また、電源装置の交換に際して、保守用電源入力端子を用い、保守用電源入力端子に外部電源を接続することで、装置稼働状態で、電源装置の交換が可能である。
【００２３】
本発明のファイバーチャネルスイッチにおける電源交換方法は、装置の内部回路に対して電源供給を行う電源装置を有するファイバーチャネルスイッチに対して、外部から、電源装置が供給する電源と並列に電源供給を行い、電源装置の電源供給を停止した後に、電源装置を前記ファイバーチャネルスイッチから取り外して別の電源装置に交換し、交換した別の電源装置からの電源供給開始後に、外部からの電源供給を停止するという構成である。
【００２４】
本発明の電源交換方法の最小構成では、外部から電源装置と並列に内部回路に対して電源供給を行い、電源装置を交換した後に、外部からの電源供給を停止する。電源装置を交換している間は、内部回路に外部からの電源を用いて電源供給を行うことができるので、装置稼働状態で、電源装置の交換が可能である。
【符号の説明】
【００２５】
１１：電源入力
１２：電源装置
１３：電圧変換回路
１４、１５：逆流防止回路
１６：保守用電源入力
１７：電源交換機構
１８：内部回路
【図１】
2010282461.tif 000003
【図２】
2010282461.tif 000004